(57)【要約】【課題】テープ幅及びリール間隔の異なる２種類のテープカセットに対してデータを記録または再生する磁気記録再生装置を提供する。【解決手段】ＤＤＳカセット（１）を排出するときは、リール台移動機構（９０）及びリードシフト機構（６０）を用いて、ＤＤＳカセット（１）用の状態から８ｍｍカセット（２）用の状態へ機構部を変更する。８ｍｍカセット（２）を排出するときは、８ｍｍカセット（２）用の機構状態を保持する。その後ＤＤＳカセット（１）が挿入されたときは、カセットローディング及びテープローディングを行うとともにリール台移動機構（９０）及びリードシフト機構（６０）を用いて８ｍｍカセット（２）用の状態からＤＤＳカセット（１）用の状態へ機構部を変更する。８ｍｍカセット（２）が挿入されたときは、機構部の状態は変更せずにカセットローディング及びテープローディングを行う。【選択図】図１６
2005044485.tif 000002
【特許請求の範囲】
【請求項１】
第１のテープ幅を有する第１の磁気テープを第１の供給リールと第１の巻取リールとの間に張架し、前記第１の供給リールと前記第１の巻取リールとが第１のリール間隔をなす第１のテープカセットと、前記第１のテープ幅より幅の広い第２のテープ幅を有する第２の磁気テープを第２の供給リールと第２の巻取リールとの間に張架し、前記第２の供給リールと前記第２の巻取リールとが前記第１のリール間隔よりも広い第２のリール間隔をなす第２のテープカセットとを選択的に使用するために、リール台の間隔及びドラムリードの角度をリール台移動機構及びリードシフト機構により、機構部の状態を選択的に切り換える磁気記録再生装置において、
機構部の状態について、リール台の位置及びドラムリード回転角度位置が第１のテープカセットを用いる際の位置となっている状態を第１の状態とし、第２のテープカセットを用いる際の位置となっている状態を第２の状態とするとき、
第１のテープカセットを排出するときには、リール台移動機構及びリードシフト機構を用いて、第１の状態から第２の状態へと機構部の状態を変更し、第２のテープカセットを排出するときには、第２の機構状態をそのまま保持し、その後に第１のテープカセットが挿入されたときには、カセットローディング及びテープローディングを行うとともにリール台移動機構及びリードシフト機構を用いて第２の状態から第１の状態へと機構部の状態を変更し、第２のテープカセットが挿入されたときには前記機構部の状態は変更せずにカセットローディング及びテープローディングを行うことを特徴とする磁気記録再生装置。
【請求項２】
第１のテープカセットを排出するときに、所定時間が経過するまでは第１の状態をそのまま維持し、テープ排出後所定時間が経過した後に、リール台移動機構及びリードシフト機構を用いて、第１の状態から第２の状態へと機構部の状態を変更することを特徴とする請求項１に記載の磁気記録再生装置。
【請求項３】
第１のテープ幅を有する第１の磁気テープを第１の供給リールと第１の巻取リールとの間に張架し、前記第１の供給リールと前記第１の巻取リールとが第１のリール間隔をなす第１のテープカセットと、前記第１のテープ幅より幅の広い第２のテープ幅を有する第２の磁気テープを第２の供給リールと第２の巻取リールとの間に張架し、前記第２の供給リールと前記第２の巻取リールとが前記第１のリール間隔よりも広い第２のリール間隔をなす第２のテープカセットとを選択的に使用するために、リール台の間隔及びドラムリードの角度をリール台移動機構及びリードシフト機構により機構部の状態を選択的に切り換える磁気記録再生装置において、
機構部の状態について、リール台の位置及びドラムリード回転角度位置が第１のテープカセットを用いる際の位置となっている状態を第１の状態とし、第２のテープカセットを用いる際の位置となっている状態を第２の状態とするとき、
テープカセットを排出するときには、前記機構部の状態は排出されたカセットに対する状態をそのまま保持し、その後にカセットを挿入する際には、挿入されたテープカセットが先に排出されたテープカセットと種類が異なる場合には、カセットローディング及びテープローディングを行うとともにリール台移動機構及びリードシフト機構を用いて機構部の状態を変更し、挿入されたテープカセットが先に排出されたテープカセットと種類が同一である場合には、前記機構部の状態は変更せずにカセットローディング及びテープローディングを行うことを特徴とする磁気記録再生装置。
【請求項４】
第１のテープ幅を有する第１の磁気テープを第１の供給リールと第１の巻取リールとの間に張架し、前記第１の供給リールと前記第１の巻取リールとが第１のリール間隔をなす第１のテープカセットと、前記第１のテープ幅より幅の広い第２のテープ幅を有する第２の磁気テープを第２の供給リールと第２の巻取リールとの間に張架し、前記第２の供給リールと前記第２の巻取リールとが前記第１のリール間隔よりも広い第２のリール間隔をなす第２のテープカセットとを選択的に使用するために、リール台の間隔及びドラムリードの角度をリール台移動機構及びリードシフト機構により機構部の状態を選択的に切り換える磁気記録再生装置において、
機構部の状態について、リール台の位置及びドラムリード回転角度位置が第１のテープカセットを用いる際の位置となっている状態を第１の状態とし、第２のテープカセットを用いる際の位置となっている状態を第２の状態とするとき、
テープカセットを排出するときには、前記第１の状態と第２の状態の中間の状態である第３の状態としてその状態をそのまま保持し、その後にカセットを挿入する際には、カセットローディング及びテープローディングを行うとともにリール台移動機構及びリードシフト機構を用いて、第３の状態から挿入されたカセットに応じて第１或いは第２の状態へと機構部の状態を変更することを特徴とする磁気記録再生装置。
【発明の詳細な説明】
【技術分野】
【０００１】
本発明は、テープ幅及びリール間隔の異なる２種類のテープカセットに対してデータを記録または再生する磁気記録再生装置に関する。
【背景技術】
【０００２】
コンピュータのデータをバックアップするためのデータストレージ装置の１つとして、ＤＤＳフォーマットがある。ＤＤＳフォーマットは、テープ幅３．８ｍｍのＤＡＴ（デジタルオーディオテープ）カセットを用いたものである。近年、コンピュータのデータは、情報量が飛躍的に増加している。テープカセットの磁気テープ（以下、単にテープ）に、より多くの情報を記録するには、テープの記録密度を上げる必要がある。しかしながら、飛躍的に情報量が増加すると、テープの記録密度を上げることによってその情報量の増加に対応するには、限界がある。
【特許文献１】特開平５−６５０１号公報
【発明の開示】
【発明が解決しようとする課題】
【０００３】
ＤＤＳフォーマットにおいても、テープ幅の狭いテープカセットを使用しているため、膨大な情報量を有するコンピュータのデータを記録することが困難になってきている。そこで、膨大な情報量のデータを記録するには、テープ幅の広いテープカセットを用いた他のフォーマットのデータストレージ装置を用いる以外に解決策はない。
【０００４】
ところが、ＤＤＳフォーマットよりもテープ幅の広いテープカセットを用いた既存のデータストレージ装置は、当然のことながら、ＤＤＳフォーマットのテープ幅の狭いテープカセットを再生することができない。従って、ＤＤＳフォーマットのデータストレージ装置を使用しているユーザは、過去のデータを再生するためにＤＤＳフォーマットのデータストレージ装置を所有し続けると共に、近年の膨大な情報量のデータを記録するため、テープ幅の広いテープカセットを用いた他のフォーマットのデータストレージ装置を所有しなければならない。このようなことはユーザにとっては好ましいことではなく、その解決が切に望まれていた。
【０００５】
本発明はこのような問題点に鑑みなされたものであり、第１のテープ幅及び第１のリール間隔を有し、第１のフォーマットにてデータが記録された第１のテープカセットを再生することができ、第１のテープ幅より幅の広い第２のテープ幅及び第１のリール間隔より広い第２のリール間隔を有する第２のテープカセットにデータを記録再生することができる磁気記録再生装置を提供することを目的とする。
【課題を解決するための手段】
【０００６】
本発明は、上述した従来の技術の課題を解決するものであって、請求項１に係る発明は、第１のテープ幅を有する第１の磁気テープを第１の供給リールと第１の巻取リールとの間に張架し、前記第１の供給リールと前記第１の巻取リールとが第１のリール間隔をなす第１のテープカセットと、前記第１のテープ幅より幅の広い第２のテープ幅を有する第２の磁気テープを第２の供給リールと第２の巻取リールとの間に張架し、前記第２の供給リールと前記第２の巻取リールとが前記第１のリール間隔よりも広い第２のリール間隔をなす第２のテープカセットとを選択的に使用するために、リール台の間隔及びドラムリードの角度をリール台移動機構及びリードシフト機構により、機構部の状態を選択的に切り換える磁気記録再生装置において、機構部の状態について、リール台の位置及びドラムリード回転角度位置が第１のテープカセットを用いる際の位置となっている状態を第１の状態とし、第２のテープカセットを用いる際の位置となっている状態を第２の状態とするとき、第１のテープカセットを排出するときには、リール台移動機構及びリードシフト機構を用いて、第１の状態から第２の状態へと機構部の状態を変更し、第２のテープカセットを排出するときには、第２の機構状態をそのまま保持し、その後に第１のテープカセットが挿入されたときには、カセットローディング及びテープローディングを行うとともにリール台移動機構及びリードシフト機構を用いて第２の状態から第１の状態へと機構部の状態を変更し、第２のテープカセットが挿入されたときには前記機構部の状態は変更せずにカセットローディング及びテープローディングを行う磁気記録再生装置である。
【０００７】
請求項２に係る発明は、請求項１に記載の発明において、第１のテープカセットを排出するときに、所定時間が経過するまでは第１の状態をそのまま維持し、テープ排出後所定時間が経過した後に、リール台移動機構及びリードシフト機構を用いて、第１の状態から第２の状態へと機構部の状態を変更する磁気記録再生装置である。
【０００８】
請求項３に係る発明は、第１のテープ幅を有する第１の磁気テープを第１の供給リールと第１の巻取リールとの間に張架し、前記第１の供給リールと前記第１の巻取リールとが第１のリール間隔をなす第１のテープカセットと、前記第１のテープ幅より幅の広い第２のテープ幅を有する第２の磁気テープを第２の供給リールと第２の巻取リールとの間に張架し、前記第２の供給リールと前記第２の巻取リールとが前記第１のリール間隔よりも広い第２のリール間隔をなす第２のテープカセットとを選択的に使用するために、リール台の間隔及びドラムリードの角度をリール台移動機構及びリードシフト機構により機構部の状態を選択的に切り換える磁気記録再生装置において、機構部の状態について、リール台の位置及びドラムリード回転角度位置が第１のテープカセットを用いる際の位置となっている状態を第１の状態とし、第２のテープカセットを用いる際の位置となっている状態を第２の状態とするとき、テープカセットを排出するときには、前記機構部の状態は排出されたカセットに対する状態をそのまま保持し、その後にカセットを挿入する際には、挿入されたテープカセットが先に排出されたテープカセットと種類が異なる場合には、カセットローディング及びテープローディングを行うとともにリール台移動機構及びリードシフト機構を用いて機構部の状態を変更し、挿入されたテープカセットが先に排出されたテープカセットと種類が同一である場合には、前記機構部の状態は変更せずにカセットローディング及びテープローディングを行う磁気記録再生装置である。
【０００９】
請求項４に係る発明は、第１のテープ幅を有する第１の磁気テープを第１の供給リールと第１の巻取リールとの間に張架し、前記第１の供給リールと前記第１の巻取リールとが第１のリール間隔をなす第１のテープカセットと、前記第１のテープ幅より幅の広い第２のテープ幅を有する第２の磁気テープを第２の供給リールと第２の巻取リールとの間に張架し、前記第２の供給リールと前記第２の巻取リールとが前記第１のリール間隔よりも広い第２のリール間隔をなす第２のテープカセットとを選択的に使用するために、リール台の間隔及びドラムリードの角度をリール台移動機構及びリードシフト機構により機構部の状態を選択的に切り換える磁気記録再生装置において、機構部の状態について、リール台の位置及びドラムリード回転角度位置が第１のテープカセットを用いる際の位置となっている状態を第１の状態とし、第２のテープカセットを用いる際の位置となっている状態を第２の状態とするとき、テープカセットを排出するときには、前記第１の状態と第２の状態の中間の状態である第３の状態としてその状態をそのまま保持し、その後にカセットを挿入する際には、カセットローディング及びテープローディングを行うとともにリール台移動機構及びリードシフト機構を用いて、第３の状態から挿入されたカセットに応じて第１或いは第２の状態へと機構部の状態を変更する磁気記録再生装置である。
【発明の効果】
【００１０】
本発明の磁気記録再生装置は、第１のテープ幅を有する第１の磁気テープを第１の供給リールと第１の巻取リールとの間に張架し、前記第１の供給リールと前記第１の巻取リールとが第１のリール間隔をなす第１のテープカセットと、前記第１のテープ幅より幅の広い第２のテープ幅を有する第２の磁気テープを第２の供給リールと第２の巻取リールとの間に張架し、前記第２の供給リールと前記第２の巻取リールとが前記第１のリール間隔よりも広い第２のリール間隔をなす第２のテープカセットとを選択的に使用するために、リール台の間隔及びドラムリードの角度をリール台移動機構及びリードシフト機構により、機構部の状態を選択的に切り換える磁気記録再生装置において、機構部の状態について、リール台の位置及びドラムリード回転角度位置が第１のテープカセットを用いる際の位置となっている状態を第１の状態とし、第２のテープカセットを用いる際の位置となっている状態を第２の状態とするとき、第１のテープカセットを排出するときには、リール台移動機構及びリードシフト機構を用いて、第１の状態から第２の状態へと機構部の状態を変更し、第２のテープカセットを排出するときには、第２の機構状態をそのまま保持し、その後に第１のテープカセットが挿入されたときには、カセットローディング及びテープローディングを行うとともにリール台移動機構及びリードシフト機構を用いて第２の状態から第１の状態へと機構部の状態を変更し、第２のテープカセットが挿入されたときには前記機構部の状態は変更せずにカセットローディング及びテープローディングを行うように構成したので、第１のテープカセットの互換再生を維持しつつ、第２のテープカセットにデータを記録再生することができる。
【００１１】
従って、ユーザは、１台の装置を所有するだけで、第１のテープカセットに記録した過去のデータを再生することができ、かつ、近年の膨大な情報量を有するコンピュータのデータを記録することができる。
【発明を実施するための最良の形態】
【００１２】
以下、本発明の磁気記録再生装置の概要について、添付図面を参照して説明する。図１及び図２は本発明の磁気記録再生装置の一実施形態を示す平面図、図３は本発明の磁気記録再生装置の動作を説明するためのフローチャート、図４及び図５は本発明の磁気記録再生装置で用いるリール台移動機構を示す平面図、図６は本発明の磁気記録再生装置における回転ドラムに対するテープの巻付角の一例を示す図、図７は本発明の磁気記録再生装置で用いるリードシフト機構を示す図、図８はリードシフト機構による作用を説明するための図、図９は本発明の磁気記録再生装置における回転ドラムとテープとの関係を平面的に示す図、図１０はテープの記録フォーマットを説明するための図、図１１は本発明の磁気記録再生装置で用いる記録再生回路の一例を示す回路図、図１２は本発明の磁気記録再生装置における回転ドラムのヘッド配置の一例を示す図、図１３及び図１４は本発明の磁気記録再生装置で用いる２種類のテープカセットの例を示す平面図である。
【００１３】
まず、図１３及び図１４を用いて、本発明の磁気記録再生装置で用いるテープカセットについて説明する。図１３は、テープ幅３．８ｍｍのテープカセット１であり、ＤＤＳフォーマットで用いるテープカセットを示している。図１３（Ａ）はテープカセット１をカセットマウス１ｍ側から見た平面図、図１３（Ｂ）はテープカセット１を表面より見た平面図である。テープカセット１の供給リール１ａと巻取リール１ｂとの間には、テープ幅３．８ｍｍの磁気テープ（以下、単にテープ）１ｔが張架されている。以下、ＤＤＳフォーマットで用いるテープカセットであるテープカセット１を幅狭テープカセット１と称することとする。
【００１４】
一方、図１４は、テープカセット１よりもテープ幅の広いテープカセットの一例であり、本実施形態では、一例として、テープ幅８ｍｍのテープカセット２を示している。図１４（Ａ）はテープカセット２をカセットマウス２ｍ側から見た平面図、図１４（Ｂ）はテープカセット２を表面より見た平面図である。テープカセット２の供給リール２ａと巻取リール２ｂとの間には、テープ幅８ｍｍの磁気テープ（以下、単にテープ）２ｔが張架されている。以下、本実施形態で新規フォーマットとして用いるテープカセットであるテープカセット２を幅広テープカセット２と称することとする。
【００１５】
本実施形態は、ＤＤＳフォーマットの幅狭テープカセット１の互換再生を確保すると共に、幅広テープカセット２に対して新規フォーマットでデータを記録再生することができるよう構成した磁気記録再生装置（データストレージ装置）である。以下、具体的な構成及び動作について説明する。
【００１６】
図３において、ステップＳ１にて、幅狭テープカセット１または幅広テープカセット２を載置するための図示していないトレイが、トレイの引出指令に伴って装置より引き出される。ステップＳ２にて、トレイに幅狭テープカセット１または幅広テープカセット２が載置され、ステップＳ３にて、トレイが装置内に引き込まれる。そして、ステップＳ４にて、載置されたカセットが幅狭テープカセット１と幅広テープカセット２のいずれであるかが図示しないセンサによって検出される。以上のステップＳ１〜Ｓ４までの動作は、全て公知の技術により実現できる。
【００１７】
ステップＳ４にて、載置されたカセットが幅広テープカセット２であることが検出されると、ステップＳ１１に移る。ステップＳ４にて、載置されたカセットが幅狭テープカセット１であることが検出されると、ステップＳ２１に移る。本実施形態では、載置されたカセットが幅狭テープカセット１であるか幅広テープカセット２であるかよって、磁気記録再生装置の構成部品の動作が異なる。
【００１８】
まず、載置されたカセットが幅広テープカセット２であるときの動作について詳細に説明する。図１は、本実施形態の磁気記録再生装置に幅広テープカセット２を装填した状態を示している。幅広テープカセット２は、メインデッキ１０と高さ方向に離間した状態で、図１の下方向から上方向へと移動し、幅広テープカセット２が図１に示す位置に至ると、メインデッキ１０方向に降下して、幅広テープカセット２が装置内部に装着された状態となる（図３のステップＳ１１）。
【００１９】
図１において、メインデッキ１０上には、幅狭テープカセット１及び幅広テープカセット２の供給リール１ａ，２ａと巻取リール１ｂ，２ｂを駆動するための供給側リール台１１ａと巻取側リール台１１ｂが設けられている。供給側リール台１１ａと巻取側リール台１１ｂとの中心間距離は、図１に示す初期状態（通常の状態）において、供給リール２ａと巻取リール２ｂとの中心間距離と同一となっている。従って、幅広テープカセット２が装置内部に装着されると、供給側リール台１１ａと巻取側リール台１１ｂはそれぞれ供給リール２ａと巻取リール２ｂに係合する。
【００２０】
後に詳述するが、供給側リール台１１ａと巻取側リール台１１ｂは、リール台ベース１２ａ，１２ｂ上に設けられている。ここでは図示していないが、リール台ベース１２ａ，１２ｂはサブデッキ５０（図４及び図５参照）に設けられ、サブデッキ５０はメインデッキ１０上に取り付けられている。リール台ベース１２ａ，１２ｂは支点１３を中心として連結されており、リール台ベース１２ａ，１２ｂはその支点を中心として開閉するよう構成されている。これにより、供給側リール台１１ａと巻取側リール台１１ｂの位置は変位自在となっている。
【００２１】
さらに、メインデッキ１０上には、幅狭テープカセット１または幅広テープカセット２のテープ１ｔ，２ｔを幅狭テープカセット１，幅広テープカセット２の外部へと引き出して、回転ドラム３０へと所定角度で巻き付けるローディング手段である複数個のガイドローラ２１〜２６と１つのピンチローラ２７が設けられている。ガイドローラ２１，２６はガイドローラアーム２１Ａ，２６Ａの先端に設けられているものであり、この２つのガイドローラ２１，２６は幅狭テープカセット１をローディングするため専用のガイドローラである。従って、図１に示す幅広テープカセット２を装填した状態で、ガイドローラアーム２１Ａ，２６Ａは初期位置にあり、テープ２ｔを引き出すものではない。
【００２２】
巻取リール２ｂ側のガイドローラ２４が、図示していない溝に沿って、幅広テープカセット２のカセットマウス２ｍ内から回転ドラム３０の出口側へと移動し（図３のステップＳ１２）、供給リール２ａ側のガイドローラ２２，２３も、図示していない溝に沿って、カセットマウス２ｍ内から回転ドラム３０の入口側へと移動する（図３のステップＳ１３）。そして、ガイドローラ２５とピンチローラ２７が、図示していない溝に沿って、カセットマウス２ｍ内から外部へと引き出され、ピンチローラ２７はキャプスタン４１に圧着する（図３のステップＳ１４）。なお、図３におけるステップＳ１２とステップＳ１４とを結ぶ破線は、両者が機構的に連動していることを示している。
【００２３】
以上のローディング動作により、カセットマウス２ｍ内から外部へと移動したガイドローラ２２〜２５及びピンチローラ２７と、メインデッキ１０上に設けられた固定のガイドローラ４２，４３，４８及びガイドピン４４〜４７によって、テープ２ｔの走行路が形成される。このとき、テープ２ｔは、図６（Ｂ）に示すように、回転ドラム３０に対して、略１８０°の角度で巻き付けられる。
【００２４】
また、テープ２ｔの上端部（幅方向の一方の端部）の位置規制は、回転ドラム３０の入口側，出口側に位置するガイドローラ２３，２４の上側フランジによって行われ、テープ２ｔの下端部（幅方向の他方の端部）の位置規制は、図８（Ｂ）に示すように、回転ドラム３０に連接した固定ドラム３１に形成した段差部であるリード３１ｂ１によって行われる。固定ドラム３１及びリード３１ｂ１の詳細については後述する。
【００２５】
次に、載置されたカセットが幅狭テープカセット１であるときの動作について詳細に説明する。図２は、本実施形態の磁気記録再生装置に幅狭テープカセット１を装填した状態を示している。図１３及び図１４より明らかなように、幅狭テープカセット１の供給リール１ａと巻取リール１ｂとの間隔は、幅広テープカセット２の供給リール２ａと巻取リール２ｂとの間隔よりも狭い。従って、幅狭テープカセット１を装填した場合には、上述した供給側リール台１１ａと巻取側リール台１１ｂとの間隔を幅狭テープカセット１の供給リール１ａと巻取リール１ｂとの間隔に合わせて変えることが必要となる。
【００２６】
図３に示すように、載置されたカセットが幅狭テープカセット１であると検出されると、ステップＳ２１にて、供給側リール台１１ａと巻取側リール台１１ｂが移動し、供給側リール台１１ａと巻取側リール台１１ｂとの間隔を切り換える。
【００２７】
図４及び図５を用いて、供給側リール台１１ａと巻取側リール台１１ｂの移動機構９０について説明する。図４は、供給側リール台１１ａと巻取側リール台１１ｂの初期位置、即ち、幅広テープカセット２を用いる場合の状態を示している。図４に示すように、供給側リール台１１ａと巻取側リール台１１ｂは、リール台ベース１２ａ，１２ｂ上に設けられている。リール台ベース１２ａ，１２ｂは支点１３にて連結されており、サブデッキ５０に取り付けられる。
【００２８】
リール台ベース１２ａ，１２ｂは、引っ張りばね１４によって互いに閉じる方向に力が加えられている。リール台ベース１２ａ，１２ｂには、電磁ソレノイド１５ａ，１５ｂによって供給側リール台１１ａ，巻取側リール台１１ｂに圧着または離間するブレーキ１６ａ，１６ｂが設けられている。供給側リール台１１ａ，巻取側リール台１１ｂや電磁ソレノイド１５ａ，１５ｂは、例えばフレキシブル基板（図示せず）を介してサブデッキ５０の裏面に設けられた駆動回路に接続されて駆動される。
【００２９】
ここでは理解を容易にするため、平面的に分離して図示しているが、リール台ベース１２ａ，１２ｂのピン１７ａ，１７ｂには、圧着レバー１８に取り付けたアーム１８ａ，１８ｂの孔１８ａ１，１８ｂ１が係合している。アーム１８ａ，１８ｂは支点１８ｃを中心として開閉自在となっている。圧着レバー１８のピン１８ｄは、ばね１８ｅの力によってスライドカム１９の一方の端面１９ａに押圧されている。スライドカム１９の端面１９ａには、凹部１９ａ１が形成されている。
【００３０】
さて、載置されたカセットが幅狭テープカセット１であると検出されると、図示していない制御手段によって、供給側リール台１１ａと巻取側リール台１１ｂの移動指令がなされる。すると、図４に示す位置にあるスライドカム１９が図の左方向へとスライドし、図５に示す位置に至る。このとき、圧着レバー１８のピン１８ｄは、端面１９ａに形成された凹部１９ａ１へと移動する。すると、圧着レバー１８のばね１８ｅによるスライドカム１９への押圧力が解放され、引っ張りばね１４の力によって、リール台ベース１２ａ，１２ｂはその角度が小さくなる。これに伴って、リール台ベース１２ａ，１２ｂとは逆のＶ字状のアーム１８ａ，１８ｂもその角度が小さくなり、アーム１８ａ，１８ｂの支点１８ｃは図の上方向に押し上げられる。
【００３１】
このようにして、スライドカム１９がスライドすることによって、リール台ベース１２ａ，１２ｂが互いの角度を小さくする方向に回動して、供給側リール台１１ａと巻取側リール台１１ｂの位置が移動する。図５に示す状態において、供給側リール台１１ａと巻取側リール台１１ｂとの中心間距離は、幅狭テープカセット１の供給リール１ａと巻取リール１ｂとの中心間距離と同一となり、供給側リール台１１ａと巻取側リール台１１ｂは、供給リール１ａと巻取リール１ｂにちょうど係合する位置となる。
【００３２】
以上のようにして、図３のステップＳ２１にて供給側リール台１１ａと巻取側リール台１１ｂが移動すると、幅狭テープカセット１は、メインデッキ１０とは高さ方向に離間した状態で、図２の下方向から上方向へと移動し、幅狭テープカセット１が図２に示す位置に至ると、メインデッキ１０方向に降下して、幅狭テープカセット１が装置内部に装着された状態となる（図３のステップＳ２２）。幅狭テープカセット１が装置内部に装着された状態で、供給側リール台１１ａと巻取側リール台１１ｂはそれぞれ供給リール１ａと巻取リール１２ｂに係合する。
【００３３】
幅狭テープカセット１が装置内部に装着されると、上述したガイドローラアーム２１Ａ，２６Ａが回動し、ガイドローラ２１，２６が幅狭テープカセット１のテープ１ｔを外部へと所定量引き出す（図３のステップＳ２３）。ガイドローラアーム２１Ａ，２６Ａは、図４及び図５に示すスライドカム１９の溝１９ｂ，１９ｃにそれぞれ係合しており、スライドカム１９が図４の状態から図５の状態に移行するのに伴って回動するようになっている。
【００３４】
また、幅狭テープカセット１が装置内部に装着されると、図３のステップＳ２１〜Ｓ２３の動作と並行して、固定ドラム３１に設けたリードシフト機構６０（図７参照）が動作するようになっている（ステップＳ３１）。リードシフト機構６０については、後に詳述する。リードシフト機構６０は、幅狭テープカセット１のテープ１ｔのローディング完了前にその動作を完了する。
【００３５】
次に、巻取リール２ｂ側のガイドローラ２４が、図示していない溝に沿って、幅狭テープカセット１のカセットマウス１ｍ内から回転ドラム３０の出口側へと移動（図３のステップＳ２４）する。幅狭テープカセット１を装填した場合には、図２に示すように、供給リール１ａ側のガイドローラ２２，２３は動作せず、テープ１ｔを引き出さない。即ち、ガイドローラ２２，２３は、幅広テープカセット２をローディングするため専用のガイドローラである。
【００３６】
そして、ガイドローラ２５とピンチローラ２７が、図示していない溝に沿って、カセットマウス１ｍ内から外部へと引き出され、ピンチローラ２７はキャプスタン４１に圧着する（図３のステップＳ２５）。なお、図３におけるステップＳ２１とステップＳ２３、ステップＳ２４とステップＳ２５は、機構的に連動している。
【００３７】
以上のローディング動作により、カセットマウス１ｍ内から外部へと移動したガイドローラ２１，２４〜２６及びピンチローラ２７と、メインデッキ１０上に設けられた固定のガイドローラ４２，４８及びガイドピン４５〜４７によって、テープ１ｔの走行路が形成される。このとき、テープ１ｔは、図６（Ａ）に示すように、回転ドラム３０に対して、略６８°の角度で巻き付けられる。
【００３８】
また、テープ１ｔの上端部（幅方向の一方の端部）の位置規制は、回転ドラム３０の入口側，出口側に位置するガイドローラ２１，２４の上側フランジによって行われる。ガイドローラ２１の上側フランジの高さ位置はガイドローラ２２の上側フランジの高さ位置と同じとなるように設定されているので、テープ１ｔの上端部はテープ２ｔの上端部と同じ高さ位置である。テープ１ｔの下端部（幅方向の他方の端部）の位置規制は、図８（Ａ）に示すように、回転ドラム３０に連結した固定ドラム３１に形成した段差部であるリード３１ｂ１によって行われる。
【００３９】
ここで、図７及び図８を用いて、固定ドラム３１のリード３１ｂ１を周方向に回動させて、テープ１ｔ，２ｔの下端部それぞれを位置規制するよう切り換えるリードシフト機構６０について説明する。リードシフト機構６０は、幅狭テープカセット１を装填した場合と、幅広テープカセット２を装填した場合とに合わせて、リード３１ｂ１がテープ１ｔの下端部を位置規制する位置と、リード３１ｂ１がテープ２ｔの下端部を位置規制する位置との間で、固定ドラム３１を回動させるようになっている。
【００４０】
図７において、（Ａ）は回転ドラム３０とその付属部品及びリードシフト機構６０を上面から見た平面図、（Ｂ）はその側面図、（Ｃ）は拡大断面図である。図７（Ａ）〜（Ｃ）に示すように、ドラムベース３２には、ギアドモータ３３，エンコーダギア３４，圧着ギア３５が搭載されている。ギアドモータ３３の回転駆動力がエンコーダギア３４，圧着ギア３５及びタイミングベルト３６を介して固定ドラム３１に伝達され、固定ドラム３１が所定角度回動するようになっている。ギアドモータ３３，エンコーダギア３４，圧着ギア３５，タイミングベルト３６がリードシフト機構６０を構成する。
【００４１】
図７（Ｃ）に示すように、固定ドラム３１は、回転ドラム３０の回転軸である固定シャフト３０ａを支持する底面部３１ａと、外周部３１ｂとよりなる。一般的な固定ドラムは、底面部と外周部とが一体となっているが、本実施形態では、固定ドラム３１の外周部３１ｂを回動させることができるよう、底面部３１ａと外周部３１ｂとが別体となっている。底面部３１ａと外周部３１ｂとの間には、ボールベアリング３１ｃが設けられている。回転ドラム３０と固定シャフト３０ａとの間には、ボールベアリング３０ｂが設けられている。図７（Ｃ）における３０ｃはステータコイル、３０ｄはロータマグネット、３０ｅはフライホール、Ｈは磁気ヘッドである。
【００４２】
図７（Ｂ）に示すように、固定ドラム３１の外周部３１ｂには、回転ドラム３０の外周面上の下端部からの距離が周方向の位置に応じて可変するよう曲線状にリード３１ｂ１が形成されている。リード３１ｂ１は、外周部３１ｂを周回している。固定ドラム３１（外周部３１ｂ）を所定角度回動させるためのギアドモータ３３の回転駆動力は、エンコーダギア３４及び圧着ギア３５を介してタイミングベルト３６に伝達され、タイミングベルト３６は固定ドラム３１を回動させる。
【００４３】
図７（Ｃ）に示すように、外周部３１ｂには、ストッパピン３１ｄが取り付けられており、ストッパピン３１ｄがドラムベース３２の所定位置に当接して、外周部３１ｂの回動が停止する。外周部３１ｂの回動が停止した後、圧着ギア３５がさらに外周部３１ｂを回動させようとするので、ストッパピン３１ｄはドラムベース３２に押し付けられ、外周部３１ｂは強固に位置決めされる。なお、外周部３１ｂが逆方向に回動したときも、全く同様な構成によって、外周部３１ｂは強固に位置決めされる。
【００４４】
このように、固定ドラム３１の外周部３１ｂを第１の位置と第２の位置との間で回動させることにより、外周部３１ｂに形成したリード３１ｂ１は、周方向に位置がシフトする。第１の位置を、幅狭テープカセット１を装填したときの位置、第２の位置を、幅広テープカセット２を装填したときの位置とする。図８（Ａ）に示すように、第１の位置において、リード３１ｂ１が幅狭テープカセット１のテープ１ｔの下端部を位置規制し、図８（Ｂ）に示すように、第２の位置において、リード３１ｂ１が幅広テープカセット２のテープ２ｔの下端部を位置規制するよう、リード３１ｂ１の形状及び周上の位置を設定しておく。
【００４５】
以上説明したリードシフト機構６０の構成及び動作によって、固定ドラム３１の外周部３１ｂに形成されているリード３１ｂ１は、図８（Ａ）の状態と図８（Ｂ）の状態との間で切り換えられ、幅狭テープカセット１と幅広テープカセット２のテープ１ｔ，テープ２ｔをローディングしたとき、テープ１ｔ，テープ２ｔそれぞれの下端部を位置規制することになる。
【００４６】
図９は、テープ１ｔ，テープ２ｔをローディングした状態における回転ドラム３０とテープ１ｔ，テープ２ｔとの関係を平面的に示している。図１０（Ａ），（Ｂ）は、それぞれ、テープ１ｔ，テープ２ｔの記録フォーマットである。図１０（Ａ）に示すように、テープ幅３．８ｍｍのテープ１ｔには、ハッチングで示す記録幅２．６ｍｍの部分にデータが記録されている。図１０（Ｂ）に示すように、テープ幅８ｍｍのテープ２ｔには、ハッチングで示す記録幅６．８ｍｍの部分にデータが記録される。
【００４７】
上述のように、また、図９に示すように、テープ１ｔ，テープ２ｔは、それぞれの上端部の位置が揃えられて、回転ドラム３０上を走行する。テープ２ｔは、回転ドラム３０に対して略１８０°の角度で巻き付けられ、有効巻付角θ２は１７５°である。テープ１ｔは、回転ドラム３０に対して略６８°の角度で巻き付けられ、有効巻付角θ１は６７．５°である。なお、有効巻付角とは、データの記録または再生に用いるテープの巻付角である。αは、リードシフト機構６０によるリード３１ｂ１のシフト角であり、１０７．５°である。
【００４８】
図９に示すＴｒ１−Ａ，Ｔｒ１−Ｂを端点とする１点鎖線は、幅狭テープカセット１のテープ１ｔに形成され、データ再生のための磁気ヘッドＨが走査するトラックＴｒ１を示している。図９に示すＴｒ２−Ａ，Ｔｒ２−Ｂを端点とする１点鎖線は、幅広テープカセット２を用いたとき、データ記録のための磁気ヘッドＨが走査してテープ２ｔに形成されるか、テープ２ｔに形成され、データ再生のための磁気ヘッドＨが走査するトラックＴｒ２である。
【００４９】
図１０（Ａ）に示すように、幅狭テープカセット１のテープ１ｔに形成されたトラックＴｒ１は、トラックピッチ６．７８７μｍ、トラック走行角６．３７４９２°である。以上が幅狭テープカセット１のＤＤＳフォーマットである。本発明ではこのフォーマットを実現するために、ドラム径４０ｍｍ、ドラム回転数７５００ｒｐｍ、ドラム有効巻付角６７．５°、テープスピード１５．２８７ｍｍ／ｓｅｃとした。
【００５０】
一方、図１０（Ｂ）に示すように、幅広テープカセット２のテープ２ｔに形成するトラックＴｒ２は、トラックピッチ３．０μｍ、トラック走行角６．２９９６３°である。これ以外は、トラック長６１．０４７ｍｍ、ドラム径４０ｍｍ、ドラム回転数７５００ｒｐｍ、ドラム有効巻付角１７５．０°、テープスピード６．８３５ｍｍ／ｓｅｃであり、以上が幅広テープカセット２を用いた場合の新フォーマットである。なお、幅広テープカセット２の新フォーマットは単なる一例であり、上記のものに限定されるものではない。
【００５１】
次に、図１１を用いて、幅狭テープカセット１や幅広テープカセット２に記録されたデータを再生するための再生回路、幅広テープカセット２にデータを記録するための記録回路について説明する。図１１（Ａ），（Ｂ）において、ＨＡ１，ＨＡ２，ＨＢ１，ＨＢ２は回転ドラム３０に設けられている磁気ヘッドである。図１２は、回転ドラム３０のヘッド配置を示している。図１２において、ＨＡ１，ＨＡ２はメタル・イン・ギャップ型ヘッド（ＭＩＧヘッド）であり、このヘッドＨＡ１，ＨＡ２は回転ドラム３０の周上で１８０°対向して配置されている。ヘッドＨＡ１，ＨＡ２は幅狭テープカセット１のデータを記録再生するため、及び、幅広テープカセット２にデータを記録あるいは再生するために用いられる。
【００５２】
また、ＨＢ１，ＨＢ２は磁気抵抗効果型ヘッド（ＭＲヘッド）であり、このヘッドＨＢ１，ＨＢ２は回転ドラム３０の周上で１８０°対向し、ヘッドＨＡ１，ＨＡ２とは９０°ずれた位置に配置されている。ヘッドＨＢ１，ＨＢ２は幅広テープカセット２に記録されたデータを再生するためにのみ用いられる。図７（Ｃ）に示すヘッドＨはヘッドＨＡ１，ＨＡ２またはヘッドＨＢ１，ＨＢ２のいずれかであり、図９に示すヘッドＨはヘッドＨＡ１，ＨＡ２，ＨＢ１，ＨＢ２のいずれかを示している。
【００５３】
図１１（Ａ）は、幅狭テープカセット１（ＤＤＳフォーマット）の再生回路及び幅広テープカセット２（新フォーマット）の記録回路である。ヘッドＨＡ１，ＨＡ２で再生された信号はロータリトランス７１，７２を介してプリレコーディングアンプ７３に入力され、図示していない信号処理回路へと供給される。一方、図示していない信号処理回路から供給された記録すべき信号は、プリレコーディングアンプ７３を介してロータリトランス７１，７２に入力され、ロータリトランス７１，７２からヘッドＨＡ１，ＨＡ２へと供給される。なお、ロータリトランス７１，７２は、回転ドラム３０及び固定ドラム３１の内部に装着されるものである。
【００５４】
図１１（Ｂ）は、幅広テープカセット２（新フォーマット）の再生回路である。ヘッドＨＢ１，ＨＢ２はＭＲヘッドであるので、外部の電力源から再生回路に定電流を流して、電圧変化として再生信号を検出する必要がある。ヘッドＨＢ１，ＨＢ２の出力はスイッチ７４を介してアンプ７５に供給される。スイッチ７４はヘッドＨＢ１，ＨＢ２に交互に接続して、１チャンネルのシリアル信号として出力する。外部の電力源からの定電流は、ロータリトランス７８及び電流の逆流を防ぐためのダイオード素子７６を介してアンプ７５に供給される。アンプ７５の出力はロータリトランス７７を介してプリアンプ７９に供給される。
【００５５】
この構成によって、電圧変化として検出された再生信号は、プリアンプ７９に入力され、図示していない信号処理回路へと供給される。なお、ロータリトランス７７，７８は、回転ドラム３０及び固定ドラム３１の内部に装着されるものである。
【００５６】
以上のようにして、本発明においては、ＤＤＳフォーマットの幅狭テープカセット１の互換再生を維持しつつ、幅広テープカセット２に新フォーマットでデータを記録再生することが可能となる。本実施形態の構成においては、構成が簡略化されているので、装置のコストが大幅に上昇することはない。本発明は、以上説明した本実施形態に限定されるものではなく、本発明の要旨を逸脱しない範囲において種々変更可能である。
【００５７】
以上、本発明の磁気記録再生装置の概要について説明したが、以下に、本発明の磁気記録再生装置の要部について、図１５〜図１９を参照して説明する。
【００５８】
本発明の磁気記録再生装置においては、幅の狭いカセットと幅の広いカセットの２種類を使用することを、それぞれのカセットに応じて、リール台の間隔を変更することと、ローアドラムの表面のリードのある部分をドラム回転軸に対して回転させることにより（以下ドラムリードシフトと呼ぶ）、可能にしている。すなわち、メカニズムの状態としては、幅の狭いカセットで記録再生を行う際のリール台間隔とドラムのリードの向きとなっている状態（ここで、この状態を［Ａ］で表すことにする）と、幅の広いカセットで記録再生を行う際のリール台間隔とドラムの向きとなっている状態（ここで、この状態を［Ｂ］で表すことにする）との２通りの状態があることになる。
【００５９】
そこで、記録や再生が終わって、テープを排出する際にどちらの状態にするか、また、それに対応して、次にテープを挿入するときにどのような動作をするかで、色々な方法がある。それらは次のようなものである。
【００６０】
（１）使用排出後はどちらかの状態（例えば［Ｂ］）となるようにする。
【００６１】
（２）しばらくは直前に排出したカセットを使用する状態、その後所定時間後にどちらかの状態（例えば［Ｂ］）とする。
【００６２】
（３）直前に排出したカセットを使用する状態のまま保持する。
【００６３】
（４）排出後はメカニズムが動く途中の状態［Ｍ］とし、次にどちらかのカセットが入っても動きが少なくて済むようにする。
【００６４】
これらの動作を説明する前に、カセット挿入時のメカニズムの動作を時間軸に沿って図１５に基づいて説明する。同図は、横軸は時間軸を表し、カセットの挿入からテープローディングが終わって、テープがドラムに巻きつくまでの間の動作を時間経過とともに示したものである。
【００６５】
ここで、まず、カセットが挿入されると、挿入されたカセットの大きさを各種センサで検出するなどの方法でカセットの種類を検出する。この検出は、カセット挿入に先立ってユーザーがボタンの操作などでどちらのカセットを使用するかを装置に入力し、装置のマイクロプロセッサがその操作を検知して判断しても良い。
【００６６】
カセットが挿入されると、まずはカセットを装置内に引き込むために、カセットハウジングの中をカセットを水平移動させる。ここで、水平移動とは直方体のカセットの外面の一番面積の広い面に平行な面内での移動を意味し、垂直移動とはこの面と垂直な方向の移動を表す。その後、垂直移動に入り、リール台の上にカセットを下降させて、カセット内のリールとリール台を結合させる。ここまでが「カセットローディング」である。
【００６７】
これが終わると、次にテープをカセットから引き出してドラムに巻きつける「テープローディング」を開始する。この間に並行して、本発明では挿入されるカセットの大小とそれまでの状態により、必要な場合には、リール台の移動とドラムリードシフトを行う。図１５ではそれぞれについて、カセット水平移動の過程に並行して、図１５の（２）及び（３）に太線で示した期間で行っている。この動作は、必ずしもこの期間でなくても、同図に両側矢印の細線で示した期間内に行えば良い。
【００６８】
すなわち、リール台の移動は、これから挿入されるカセットの種類が検出されてから、カセットの垂直移動によりリール台がカセットの中に入り込み始める前までに行われればよく、ドラムリードシフトは、挿入されるカセットの種類が検出されてから、テープローディングにより、テープがドラムに巻きつき始める前までに完了していればよい。
【００６９】
カセットの排出においては、これの逆の動作が行われ、その間に必要ならばリール台とドラムリードシフトを行って、大小カセットのうち、それまで挿入されていたカセットとは異なる方に適した状態へと推移させる。以降、小カセットを使用する際の状態［Ａ］から、大カセットを使用する際の状態［Ｂ］への推移させることを、［Ａ］→［Ｂ］と表し、大カセットを使用する際の状態［Ｂ］から小カセットを使用する際の状態［Ａ］へと推移させることを［Ｂ］→［Ａ］で表すことにする。
【実施例１】
【００７０】
これは、図１６に示すように、使用排出後はどちらかの状態（例えば［Ｂ］）となるようにするものである。ここで、Ａカセットとは幅の狭いテープの入ったカセットを意味し、Ｂカセットとは幅の広いテープの入ったカセットを意味する。以下、他の実施例についても同様とする。
【００７１】
図１６に示すように、いま、Ａカセットを使用していて、ユーザーがユーザーインターフェイスによる所定の操作で排出を指示（ステップＳ１０１）すると、装置は、このカセットを排出（ステップＳ１０２）すると共に、［Ａ］→［Ｂ］（ステップＳ１０３）の動作を行う。
【００７２】
カセット排出の動作は、図１５の（１）に示した動作を時間的に逆にした動作を行えば良い。［Ａ］→［Ｂ］の動作は、同図の（２）及び（３）に示した動作を時間的に逆にしたようなタイミングで、カセット排出と同時に行っても良いし、カセット排出が終わってから行っても良い。そして、次にカセットが挿入されるまでの間は［Ｂ］の状態を保持（ステップＳ１０４）する。
【００７３】
一方、Ｂカセットを使用していて、ユーザーが排出を指示（ステップＳ１１１）すると、カセットを排出（ステップＳ１１２）して、次にカセットが挿入されるまでの間は［Ｂ］の状態を保持（ステップＳ１０４）する。このように、それまで使用されていたカセットがどちらのタイプのものであっても、カセット排出後は［Ｂ］の状態を保持することになる。
【００７４】
その後、Ａカセットを挿入する場合には、Ａカセットであることが検出（ステップＳ１２１）されると、図１５のような時間的推移で、同図（２）及び（３）の［Ｂ］→［Ａ］動作と同図（１）のローディング動作（ステップＳ１２２）が同時に行われる。
【００７５】
一方、Ｂカセットを挿入する場合には、Ｂカセットであることが検出（ステップＳ１３１）されると、すでに装置は状態［Ｂ］となっているので、同図（１）のローディング動作（ステップＳ１３２）のみが行われる。
【００７６】
このように、カセット排出後は常に状態［Ｂ］とすることにより、Ｂカセットを標準的に使用してＡカセットは過去に記録したデータを再生するような限られた機会であるような状況においては、Ｂカセット挿入時の動作が簡単になり、この時の消費電力において有利である。
【００７７】
例えば、パソコン内蔵型機器として使う場合には、パソコンから電源を取るが、パソコン起動時にはソフトウェアを読み込み初期設定を行うためにパソコンに内蔵されたハードディスクドライブが盛んに動くなど、多くの電力を消費する。テープに記録された情報を使用するためにパソコンを起動するときには、パソコン起動操作を行って直ちにカセットを挿入したいことも多いが、その際にはパソコンの他の部分で消費電力の大きい期間において動作することになるため、本発明の装置を動かすのに要する消費電力は極力少なくするのが望ましく、その点でこの方法は好適なものである。
【実施例２】
【００７８】
これは、図１７に示すように、しばらくは直前に排出したカセットを使用する状態、その後所定時間後にどちらかの状態（例えば［Ｂ］）とするものである。
【００７９】
これはＡカセットを使用していたとして、このカセットを排出した後に続けて別のカセットを入れるときにはやはりＡカセットの方が多いと考えたときに有利な方法である。Ａカセットの場合、１巻のカセットに記録できる容量が小さいため、必要なデータが複数のカセットにまたがって記録されていることもあり、そのような場合には適宜カセットを取り替えて使用することになる。また、カセットの排出操作自体がユーザーの誤操作である場合もあり、そのような場合にはユーザーは直ちにカセットを挿入し直すであろう。
【００８０】
そこで、図１７に示すように、Ａカセットを使用していて、ユーザーが排出を指示（ステップＳ２０１）すると、図１５の（１）の逆動作でカセットの排出（ステップＳ２０２）を行うが、リール台及びドラムの向きは動かさずに［Ａ］の状態を保つ（ステップＳ２０３）。
【００８１】
このカセット排出から所定時間が経過しない（ステップＳ２０４のＮｏ）うちにＡカセットを挿入する場合は、Ａカセットであることが検出（ステップＳ２１１）されると、図１５（１）のローディング動作（ステップＳ２１２）のみが行われる。
【００８２】
また、カセット排出から所定時間が経過しない（ステップＳ２０４のＮｏ）うちにＢカセットを挿入する場合は、Ｂカセットであることが検出（ステップＳ２２１）されると、図１５のような時間的推移で、同図（２）及び（３）の［Ａ］→［Ｂ］動作と同図（１）のローディング動作（ステップＳ２２２）が同時に行われる。
【００８３】
一方、カセットの排出（ステップＳ２０２）から所定時間が経過する（ステップＳ２０４のＹｅｓ）と、［Ａ］→［Ｂ］の動作（ステップＳ２０５）を行い、［Ｂ］状態を保持（ステップＳ２０６）する。
【００８４】
最初に戻って、Ｂカセットを使用していて、ユーザーが排出を指示（ステップＳ２３１）すると、図１５の（１）の逆動作でカセットの排出（ステップＳ２３２）を行い、［Ｂ］状態を保持（ステップＳ２０６）する。
【００８５】
従って、カセット排出から所定時間が経過したのちは、その前に挿入されていたカセットの種類にかかわらず状態は［Ｂ］となっている。これは実施例１と同じ考え方で、この装置で標準に使用するカセットはＢであるとして、それが挿入されるのを待って待機する。
【００８６】
この待機状態でＡカセットを挿入する場合は、Ａカセットであることが検出（ステップＳ２４１）されると、図１５のような時間的推移で、同図（２）及び（３）の［Ｂ］→［Ａ］動作と同図（１）のローディング動作（ステップＳ２４２）が同時に行われる。
【００８７】
また、待機状態でＢカセットを挿入する場合は、Ｂカセットであることが検出（ステップＳ２５１）されると、図１５（１）のローディング動作（ステップＳ２５２）のみが行われる。
【実施例３】
【００８８】
これは、図１８に示すように、直前に排出したカセットを使用する状態のまま保持するものである。
【００８９】
Ａカセットを使用していて、ユーザーがユーザーインターフェイスによる所定の操作で排出を指示（ステップＳ３０１）すると、装置はこのカセットを排出（ステップＳ３０２）し、そのまま［Ａ］状態を保持（ステップＳ３０３）する。
【００９０】
一方、Ｂカセットを使用していて、ユーザーがユーザーインターフェイスによる所定の操作で排出を指示（ステップＳ３１１）すると、装置はこのカセットを排出（ステップＳ３１２）し、そのまま［Ｂ］状態を保持（ステップＳ３１３）する。
【００９１】
後に、先ほど排出したのと同じタイプのカセットが挿入されたときには、同じタイプのカセットであることが検出（ステップＳ３２１，Ｓ３３１）されると、図１５（１）のローディング動作（ステップＳ３２２，Ｓ３３２）のみが行われる。
【００９２】
一方、先ほど排出したのと異なるタイプのカセットが挿入されたときには、異なるタイプのカセットであることが検出（ステップＳ３４１，Ｓ３５１）されると、図１５のような時間的推移で、同図（２）及び（３）の［Ａ］→［Ｂ］、または［Ｂ］→［Ａ］動作と同図（１）のローディング動作（ステップＳ３４２，Ｓ３５２）が同時に行われる。
【００９３】
この方法は、或るタイプのカセットを使用した人は同タイプのカセットを続けて使用することが多い場合に特に好適で、そのような場合のメカニズムの動作が最小限に押さえられるので、省電力及び装置の長寿命化に関して有利である。
【実施例４】
【００９４】
これは、図１９に示すように、排出後はメカニズムが動く途中の状態［Ｍ］とし、次にどちらのカセットが入っても動きが少なくて済むようにするものである。
【００９５】
Ａカセットを使用していて、排出指示（ステップＳ４０１）に続くカセット排出（ステップＳ４０２）時に、ドラムのリードシフト及びリール台の間隔を、その変更の推移の途中位置（状態［Ｍ］とする）までで停止（ステップＳ４０３）させる。そして、テープが入っていなければその状態を保持（ステップＳ４０４）する。
【００９６】
一方、Ｂカセットを使用していて、排出指示（ステップＳ４１１）に続くカセット排出（ステップＳ４１２）時に、ドラムのリードシフト及びリール台の間隔を、その変更の推移の途中位置（状態［Ｍ］とする）までで停止（ステップＳ４１３）させる。そして、テープが入っていなければその状態を保持（ステップＳ４０４）する。
【００９７】
その後、Ａカセットを挿入する場合は、Ａカセットであることが検出（ステップＳ４２１）されると、図１５のような時間的推移で、［Ｍ］→［Ａ］動作とローディング動作（ステップＳ４２２）が同時に行われる。
【００９８】
また、Ｂカセットを挿入する場合は、Ｂカセットであることが検出（ステップＳ４３１）されると、図１５のような時間的推移で、［Ｍ］→［Ｂ］動作とローディング動作（ステップＳ４３２）が同時に行われる。
【００９９】
この場合、どちらのカセットを入れても状態の推移が必要とはなるが、どちらのカセットが挿入されてもその移動量が少なくと済むので、推移時に一度に要する電力が少なくと済むという利点がある。
【０１００】
状態［Ｍ］としては、リール台移動とドラムのリードシフトの双方について中間の状態とすることの他に、排出時にそれらの一方のみを例えば［Ｂ］として終えることもあり得る。こうすることにより、次に幅広カセットが挿入されたときには、他方のみを働かせばよいため、双方を同時に駆動する必要がなくなり、電源の負担が軽減される。
【図面の簡単な説明】
【０１０１】
【図１】本発明の一実施形態を示す平面図である。
【図２】本発明の一実施形態を示す平面図である。
【図３】本発明の動作を説明するためのフローチャートである。
【図４】本発明で用いるリール台移動機構を示す平面図である。
【図５】本発明で用いるリール台移動機構を示す平面図である。
【図６】本発明における回転ドラムに対するテープの巻付角の一例を示す図である。
【図７】本発明で用いるリードシフト機構を示す図である。
【図８】リードシフト機構による作用を説明するための図である。
【図９】本発明における回転ドラムとテープとの関係を平面的に示す図である。
【図１０】テープの記録フォーマットを説明するための図である。
【図１１】本発明で用いる記録再生回路の一例を示す回路図である。
【図１２】本発明における回転ドラムのヘッド配置の一例を示す図である。
【図１３】本発明で用いる１種類のテープカセットの例を示す平面図である。
【図１４】本発明で用いる別の種類のテープカセットの例を示す平面図である。
【図１５】タイミングチャートである。
【図１６】実施例１を示すフローチャートである。
【図１７】実施例２を示すフローチャートである。
【図１８】実施例３を示すフローチャートである。
【図１９】実施例４を示すフローチャートである。
【符号の説明】
【０１０２】
１  幅狭テープカセット
１ｔ，２ｔ  磁気テープ
１ａ，２ａ  供給リール
１ｂ，２ｂ  巻取リール
１ｍ，２ｍ  カセットマウス
２  幅広テープカセット
１１ａ  供給側リール台
１１ｂ  巻取側リール台
１２ａ，１２ｂ  リール台ベース
１８  圧着レバー
１９  スライドカム
２１〜２６  ガイドローラ（ローディング手段）
２７  ピンチローラ（ローディング手段）
３０  回転ドラム
３１  固定ドラム
３１ａ  底面部
３１ｂ  外周部
３１ｂ１  リード
６０  リードシフト機構
７１，７２，７７，７８  ロータリトランス
７３  プリレコーディングアンプ
７４  スイッチ
７５  アンプ
７６  ダイオード素子
７９  プリアンプ
９０  リール台移動機構
１００  カセットハウジング
１１０  フロントパネル
１２０  サブフロントパネル
１３０  駆動機構
１４１  平行リンク
１５０  カセットホルダ
１６０  カセットガイド
１７０  ガイドプレート
２１０  ストッパプレート
Ｈ，ＨＡ１，ＨＡ２，ＨＢ１，ＨＢ２  磁気ヘッド
【図１】
2005044485.tif 000003
【図２】
2005044485.tif 000004
【図３】
2005044485.tif 000005
【図４】
2005044485.tif 000006
【図５】
2005044485.tif 000007
【図６】
2005044485.tif 000008
【図７】
2005044485.tif 000009
【図８】
2005044485.tif 000010
【図９】
2005044485.tif 000011
【図１０】
2005044485.tif 000012
【図１１】
2005044485.tif 000013
【図１２】
2005044485.tif 000014
【図１３】
2005044485.tif 000015
【図１４】
2005044485.tif 000016
【図１５】
2005044485.tif 000017
【図１６】
2005044485.tif 000018
【図１７】
2005044485.tif 000019
【図１８】
2005044485.tif 000020
【図１９】
2005044485.tif 000021